(57)【要約】【課題】従来のフィルムカメラと同様の使い勝手を実現する上で有利な撮像装置を提供する。【解決手段】撮像装置１０は、レンズ鏡筒１２と、本体部１４と、記録再生部１６とを備え、本体部１４は、外装を構成する筐体２２を有している。筐体２２の内部には、信号処理部４２を構成する複数の基板５６Ａ、５６Ｂと、マザー基板５８と、電源部５４を構成する電源基板６０などが設けられている。電源部５４は、筐体２２の内部の最下部に配置されている。第１乃至第３のファン５２Ａ、５２Ｂ、５２Ｃが駆動されると、矢印で示すように、外気が第２の空気取り入れ口３６から筐体２２の内部に吸い込まれ、筐体２２の内部で電源部５４の直上かつ複数の基板５６Ａの直下の箇所を水平方向に後部に向けて流れ空気排出口３８から筐体２２の外部に排出される空気流Ｋ１が形成される。【選択図】図８
2008124869.tif 000002
【特許請求の範囲】
【請求項１】
撮影光学系を収容するレンズ鏡筒と、
前記レンズ鏡筒が装着される本体部とを備え、
前記本体部は、
外装を構成する筐体と、
前記筐体に収容され、前記レンズ鏡筒によって導かれた被写体像を撮像する撮像素子と、
前記筐体に収容され、前記撮像素子によって生成された映像信号から記録用の映像データを生成する信号処理部と、
前記筐体に収容され、前記撮像素子および前記信号処理部に電力を供給する電源部とを備え、
前記筐体の内部の最下部に前記電源部が配置されている、
ことを特徴とする撮像装置。
【請求項２】
前記電源部は、プリント基板と、前記プリント基板上に平面的に並べられて実装された複数の電子部品を含んで構成され、
前記筐体は底壁を有し、
前記プリント基板は前記筐体の内部で前記底壁上に前記電子部品を前記底壁と反対方向に向けて前記底壁と平行して配設されている、
ことを特徴とする請求項１記載の撮像装置。
【請求項３】
前記筐体に、空気取り入れ口と、空気排出口と、ファンとが設けられ、
前記筐体の内部に、前記ファンの駆動により外気が前記空気取り入れ口から前記筐体の内部に吸い込まれ、前記筐体の内部で前記電源部の直上の箇所を前記外気が水平方向に流れて前記空気排出口から前記筐体の外部に排出される空気路が形成されている、
ことを特徴とする請求項１記載の撮像装置。
【請求項４】
前記空気取り入れ口は前記本体部の上面に設けられている、
ことを特徴とする請求項２記載の撮像装置。
【請求項５】
前記レンズ鏡筒は前記筐体の前面に取着され、
前記空気取り入れ口は前記本体部の前記前面および上面に設けられている、
ことを特徴とする請求項２記載の撮像装置。
【請求項６】
前記レンズ鏡筒は前記筐体の前面に取着され、
前記空気排出口は前記本体部の後面に設けられている、
ことを特徴とする請求項２記載の撮像装置。
【請求項７】
前記レンズ鏡筒は前記筐体の前面に取着され、
前記本体部の上面に空気取り入れ口が設けられ、
前記筐体の内部で前記空気取り入れ口に臨ませて吸気ファンが設けられ、
前記本体部の後面に空気排出口が設けられ、
前記筐体の内部で前記空気排出口に臨ませて排気ファンが設けられ、
前記筐体の内部に前記信号処理部を構成する複数の基板がそれらの面を上下左右に延在させて前後に並べられて設けられ、
前記電源部は前記複数の基板の下方に位置し、
前記吸気ファンおよび前記排気ファンの駆動により外気が前記空気取り入れ口から前記筐体の内部に吸い込まれ、前記筐体の内部で前記電源部の直上かつ前記複数の基板の下方の箇所を水平方向に流れて前記空気排出口から前記筐体の外部に排出される空気流が形成される、
ことを特徴とする請求項１記載の撮像装置。
【請求項８】
前記信号処理部から供給された前記記録用の映像データを記録媒体に対して記録する記録再生部を備え、
前記記録再生部は記録再生部側コネクタを有し、
前記筐体の上面に、前記記録再生部が着脱可能に取り付けられる上部取り付け部が設けられるとともに、前記筐体の後面に、前記記録再生部が着脱可能に取り付けられる後部取り付け部が設けられ、
前記上部取り付け部と前記後部取り付け部はそれぞれ前記記録再生部側コネクタに接続される本体部側コネクタを有し、
前記記録再生部が前記上部取り付け部または前記後部取り付け部に選択的に取り付けられる、
ことを特徴とする請求項１記載の撮像装置。
【請求項９】
撮影光学系を収容するレンズ鏡筒と、
前記レンズ鏡筒が装着される本体部とを備え、
前記本体部は、
外装を構成する筐体と、
前記筐体に収容され、前記レンズ鏡筒によって導かれた被写体像を撮像する撮像素子と、
前記筐体に収容され、前記撮像素子によって生成された映像信号から記録用の映像データを生成する信号処理部と、
前記筐体に前記信号処理部より下部に収容され、前記撮像素子および前記信号処理部に電力を供給する電源部とを備えた、
ことを特徴とする撮像装置。
【発明の詳細な説明】
【技術分野】
【０００１】
本発明は撮像装置に関する。
【背景技術】
【０００２】
従来から映画の撮影を行う撮像装置としては、撮影光学系を収容するレンズ鏡筒と、前記レンズ鏡筒が装着される本体と、フィルムを収納し前記本体に装脱可能に装着されるフィルムカートリッジとを備えるフィルムカメラが使用されている（特許文献１参照）。
そして、本体では、フィルムカートリッジから引き出されて走行されるフィルムに前記撮影光学系によって導かれた被写体像が結像されフィルムが露光されている。
また、このようなフィルムカメラでは、フィルムカートリッジを本体の上部あるいは本体の後部の双方に取り付け可能に構成されており、撮影アングルに応じて、あるいは、三脚やカメラ移動用台車などの撮影補助装置へのフィルムカメラの取り付けが行いやすいように、フィルムカートリッジの装着箇所を切り換えてフィルムカメラを使用している。
近年、記録媒体として磁気テープや光ディスク、ハードディスクなどを用いたビデオカメラを映画の撮影に用いることが要求されてきている。
ところが、テレビ局などで用いられる多くのビデオカメラは、電源部を筐体の後部に配置していることから、従来のフィルムカメラに比較して前後方向の寸法が長い外形となっている（特許文献２参照）。
【特許文献１】特表平１０−５０７８５１
【特許文献２】特開平５−７５９０４
【発明の開示】
【発明が解決しようとする課題】
【０００３】
したがって、従来のビデオカメラをそのまま映画撮影用のカメラとして使用しようとしても、上述したビデオカメラ全体での外形形状の制約によって、従来のフィルムカメラと同様の撮影アングルをとりづらかったり、あるいは、従来のフィルムカメラ用の撮影補助装置への取り付けが簡単にできないといった使い勝手の低下が懸念される。
本発明は前記事情に鑑み案出されたものであって、本発明の目的は、従来のフィルムカメラと同様の使い勝手を実現する上で有利な撮像装置を提供することにある。
【課題を解決するための手段】
【０００４】
上述の目的を達成するため、本発明の撮像装置は、撮影光学系を収容するレンズ鏡筒と、前記レンズ鏡筒が装着される本体部とを備え、前記本体部は、外装を構成する筐体と、前記筐体に収容され、前記レンズ鏡筒によって導かれた被写体像を撮像する撮像素子と、前記筐体に収容され、前記撮像素子によって生成された映像信号から記録用の映像データを生成する信号処理部と、前記筐体に収容され、前記撮像素子および前記信号処理部に電力を供給する電源部とを備え、前記筐体の内部の最下部に前記電源部が配置されていることを特徴とする。
また本発明の撮像装置は、撮影光学系を収容するレンズ鏡筒と、前記レンズ鏡筒が装着される本体部とを備え、前記本体部は、外装を構成する筐体と、前記筐体に収容され、前記レンズ鏡筒によって導かれた被写体像を撮像する撮像素子と、前記筐体に収容され、前記撮像素子によって生成された映像信号から記録用の映像データを生成する信号処理部と、前記筐体に前記信号処理部より下部に収容され、前記撮像素子および前記信号処理部に電力を供給する電源部とを備えたことを特徴とする。
【発明の効果】
【０００５】
本発明によれば、筐体の内部の最下部に電源部が配置されているので、筐体の前後方向の長さを縮小することができる。
そのため、撮像装置を映画撮影用のカメラとして使用する際に、従来のフィルムカメラと同様の撮影アングルを容易にとることができ、また、撮像装置を従来のフィルムカメラ用の撮影補助装置に取り付けることが簡単にでき、従来のフィルムカメラを使用している環境下における使い勝手の向上を図る上で有利となる。
【発明を実施するための最良の形態】
【０００６】
次に本発明の実施の形態について図面を参照して説明する。
図１は本実施の形態の撮像装置１０の右側面図、図２は本実施の形態の撮像装置１０の左側面図、図３は撮像装置１０の本体部１４の左側面図、図４は図３のＡ矢視図、図５は図３のＢ矢視図、図６は図３のＣ矢視図である。
図７は本体部１４の内部構成の説明図、図８は筐体２２内部における空気の流れの説明図、図９は筐体２２内部の基板の配置を示す平面図である。
図１０は撮像装置１０の構成を示すブロック図である。
【０００７】
本実施の形態において撮像装置１０は映画撮影用のビデオカメラである。
図１、図２に示すように、撮像装置１０は、レンズ鏡筒１２と、本体部１４と、記録再生部１６とを備えている。
なお、本明細書において左右は、撮像装置１０を前方から見た状態でいうものとし、また、光学系の光軸方向で被写体側を前方といい、撮像素子側を後方という。
レンズ鏡筒１２は、図１０に示すように、撮影光学系１８を収容するものである。
撮影光学系１８は、被写体像を図１０に示す撮像素子２０に導くものである。なお、撮像素子２０は、ＣＣＤ、あるいは、Ｃ−ＭＯＳセンサなど従来公知のさまざまな撮像素子が採用可能である。
【０００８】
図３乃至図６に示すように、本体部１４は、外装を構成する筐体２２を有している。
筐体２２は、前方に臨む前面２２Ａ、後方に臨む後面２２Ｂ、左右側方に臨む左右の側面２２Ｃ、２２Ｄ、上方に臨む上面２２Ｅ、下方に臨む下面２２Ｆを備えている。
本実施の形態では、筐体２２は、前面２２Ａと後面２２Ｂとの間の前後方向の長さと、上面２２Ｅと後面２２Ｆとの間の上下方向の高さと、左右の側面２２Ｃ、２２Ｄの間の左右方向の幅とがほぼ同じ値となるように構成されており、したがって、筐体２２はほぼ立方体を呈している。
【０００９】
図５に示すように、筐体２２の前面２２Ａには、レンズ鏡筒１２が装脱可能に装着される取り付け座２４と、第１の空気取り入れ口３４とが設けられている。
第１の空気取り入れ口３４は、筐体２２の内部と外部を連通するもので、左側面２２Ｃに多数の矩形状の小形の開口が上下に並べられて構成されている。
【００１０】
図４に示すように、筐体２２の上面２２Ｅには、記録再生部１６が着脱される上部取り付け部２６と、第２の空気取り入れ口３６とが設けられている。
第２の空気取り入れ口３６は、筐体２２の内部と外部を連通するもので、上面２２Ｅの左側部に多数の矩形状の小形の開口が前後に並べられて構成されている。
筐体２２の内部で第２の空気取り入れ口３６に臨む箇所に、図７、図８、図９に示すように、第１のファン５２Ａ（吸気ファン）が配設され、第１のファン５２Ａの駆動により、外部の空気が第２の空気取り入れ口３６から筐体２２の内部に吸い込まれる。
【００１１】
図６に示すように、筐体２２の後面２２Ｂには、記録再生部１６が着脱される後部取り付け部２８と、空気排出口３８とが設けられている。
空気排出口３８は、筐体２２の内部と外部を連通するもので、後面２２Ｂの左側部に多数の矩形状の小形の開口が上下に並べられて構成されている。
筐体２２の内部で空気排出口３８に臨む箇所に、図７、図８、図９に示すように、第２、第３のファン５２Ｂ、５２Ｃ（排気ファン）が配設され、第２、第３のファン５２Ｂ、５２Ｃの駆動により、筐体２２内部の空気が空気排出口３８から筐体２２の外部に排出される。
【００１２】
記録再生部１６は、図１、図２に示すように、上部取り付け部２６または後部取り付け部２８に選択的に取り付けられる筐体１６Ａを有している。
図４に示すように、上部取り付け部２６には、２つの本体部側コネクタ３０Ａ、３０Ｂと、不図示の連結機構が設けられ、一方のコネクタ３０Ａは信号伝達用であり、他方のコネクタ３０Ｂは電源用である。
また、図６に示すように、後部取り付け部２８にも、信号伝達用の本体部側コネクタ３０Ａ、３０Ｂと、不図示の連結機構が設けられている。
後部取り付け部２８には、２つの本体部側コネクタ３０Ａ、３０Ｂと、不図示の連結機構が設けられ、一方のコネクタ３０Ａは信号伝達用であり、他方のコネクタ３０Ｂは電源用である。
前記連結機構に設けられた操作部材を操作することにより、上部取り付け部２６または後部取り付け部２８に対して筐体１６Ａが着脱され、また、本体部側コネクタ３０Ａ、３０Ｂと記録再生部１６の記録再生部側コネクタ３２Ａ、３２Ｂ（図１０参照）とが電気的に接続され、接続が解除される。
なお、上述の連結機構には、従来公知のさまざまな構造が採用可能である。
【００１３】
記録再生部１６は、本体部１４から本体部側コネクタ３０Ａ、記録再生部側コネクタ３２Ａを介して供給される記録用の映像データを、記録媒体に記録し、また、前記記録媒体から再生した映像データを記録再生部側コネクタ３２Ａ、本体部側コネクタ３０ＡＢを介して本体部１４側に供給するものである。
前記記録媒体としては、例えば、磁気記録テープ、光ディスク、あるいは、ハードディスクなどの従来公知のさまざまな記録媒体が利用可能である。
また、記録再生部１６は、本実施の形態では、本体部１４から本体部側コネクタ３０Ｂ、記録再生部側コネクタ３２Ｂを介して供給される電力によって動作する。
なお、図３に示すように、本体部１４の左側面２２Ｃの下部寄りの箇所には、前後方向に沿って外部機器接続用のコネクタ２３が複数個配置されている。
【００１４】
次に、図１０を参照して本体部１４の制御系の構成について説明する。
図１０に示すように、本体部１４は、前記の撮像素子２０の他に、プリズム４０、信号処理部４２、Ｉ／Ｆ部４４Ａ、４４Ｂ、操作部４６、表示部４８、制御部５０、第１乃至第３のファン５２Ａ、５２Ｂ、５２Ｃ、電源部５４などを含んで構成されている。
本実施の形態では、図８に示すように、３色（赤、緑、青）のそれぞれに対応して３つの撮像素子２０が設けられており、プリズム４０は、撮影光学系１８（図１０）から導かれた被写体像を構成する光束を３色（赤、緑、青）に分離して、各色に対応した撮像素子２０に導くものである。
信号処理部４２は、各撮像素子２０を駆動すると共に、各撮像素子２０から供給される映像信号に対して、例えば、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データを生成するなどの一連の前処理を行い、さらに、前処理がなされた映像データを所定の圧縮方式によって圧縮（エンコード）することにより、前記の記録用の映像データを生成するものである。生成された記録用の映像データは、制御部５０、Ｉ／Ｆ部４４Ａ、４４Ｂを介して記録再生部１６に供給される。
また、信号処理部４２は、前記前処理がなされた映像信号をコネクタ２３を介して外部のディスプレイ装置に供給することで撮影中の映像を前記ディスプレイ装置に表示させたり、あるいは、記録再生部１６で再生され制御部５０、Ｉ／Ｆ部４４Ａ、４４Ｂを介して供給された映像データの伸張（デコード）を行い、その伸張された再生用の映像データを前記と同様にコネクタ２３を介して外部のディスプレイ装置に供給することで前記ディスプレイ装置に再生映像を表示させる。
【００１５】
Ｉ／Ｆ部４４Ａ、４４Ｂは、制御部５０と記録再生部１６との間で前記映像信号の授受やその授受にまつわる制御信号などのやり取りを行うものである。
【００１６】
操作部４６は、撮像装置１０の動作にまつわる種々の設定を行うために操作されるスイッチやボリュームなどで構成されている。
表示部４８は、撮像装置１０の動作状態を表示するディスプレイやＬＥＤランプなどで構成されている。
制御部５０は、上述した信号処理部４２、Ｉ／Ｆ部４４Ａ、４４Ｂ、操作部４６、表示部４８の制御を司るものである。
具体的には、制御部５０は、ＣＰＵ、ワーキングエリアを提供するＲＡＭ、制御プログラムなどを格納するＲＯＭ、信号処理部４２、Ｉ／Ｆ部４４Ａ、４４Ｂ、操作部４６、表示部４８との間で制御信号やデータ信号を授受するための周辺ＬＳＩなどを含むマイクロコンピュータによって構成されており、前記ＣＰＵが前記ＲＯＭの制御プログラムを実行することによって種々の制御動作を実行する。
【００１７】
電源部５４は、不図示の外部電源からコネクタ２３を介して供給される電力に基づいて生成した電力を、撮像素子２０、信号処理部４２、Ｉ／Ｆ部４４Ａ、４４Ｂ、操作部４６、表示部４８、第１乃至第３のファン５２Ａ、５２Ｂ、５２Ｃに供給することで、それら各部を動作させるものである。
第１乃至第３のファン５２Ａ、５２Ｂ、５２Ｃは、電源部５４から供給される電力によって駆動されるものである。
【００１８】
次に、図７乃至図９を参照して筐体２２の内部の構成について説明する。
図７乃至図９に示すように、筐体２２の内部には、信号処理部４２を構成する複数の基板５６Ａ、５６Ｂと、制御部５０を構成するマザー基板５８と、電源部５４を構成する電源基板６０などが設けられている。
信号処理部４２を構成する複数の基板の一部５６Ａは、筐体２２の内部の後部に、それら基板５６Ａの面を上下左右に延在させて配置されている。
信号処理部４２を構成する複数の基板の残り５６Ｂと、制御部５０を構成するマザー基板５８は、筐体２２の内部の左側面２２Ｃ寄りの箇所に、それら基板５６Ｂ、５８の面を上下前後に延在させて配置されている。
【００１９】
電源基板６０（電源部５４）は、筐体２２の内部の最下部に配置されている。すなわち、電源部５４は信号処理部４２より下に配置されている。また、電源部５４の位置は撮像素子２０の位置よりも下である。電源基板６０（電源部５４）は、複数の基板５６および複数のマザー基板５８の下方に、電源基板６０の面を前後左右に延在させて配置されている。
詳細に説明すると、電源基板６０（電源部５４）は、複数の電子部品６０Ａ、６０Ｂ、６０Ｃ、６０Ｄを含んで構成され、それらの電子部品６０Ａ、６０Ｂ、６０Ｃ、６０Ｄなどがプリント基板６０Ｅに実装されることで構成され、言い換えると、各電子部品６０Ａ、６０Ｂ、６０Ｃ、６０Ｄなどが底壁（下面２２Ｄ）と反対方向に向けてプリント基板６０Ｅが筐体２２の底壁（下面２２Ｄ）上で底壁（下面２２Ｄ）と平行して配置されている。なお、電子部品６０Ａ、６０Ｂ、６０Ｃ、６０Ｄとして、例えば、ＤＣ／ＤＣコンバータ、トランス、コンデンサー、抵抗などが挙げられる。
【００２０】
電源基板６０（電源部５４）は、筐体２２の内部の最下部に、言い換えると、複数の基板５６および複数のマザー基板５８の下方に、電源基板６０の面を前後左右に延在させて配置されている。
詳細に説明すると、電源基板６０（電源部５４）は、複数の電子部品６０Ａ、６０Ｂ、６０Ｃ、６０Ｄを含んで構成され、それらの電子部品６０Ａ、６０Ｂ、６０Ｃ、６０Ｄなどがプリント基板６０Ｅに実装されることで構成され、言い換えると、各電子部品６０Ａ、６０Ｂ、６０Ｃ、６０Ｄなどが底壁（下面２２Ｄ）と反対方向に向けてプリント基板６０Ｅが筐体２２の底壁（下面２２Ｄ）上で底壁（下面２２Ｄ）と平行して配置されている。なお、電子部品６０Ａ、６０Ｂ、６０Ｃ、６０Ｄとして、例えば、ＤＣ／ＤＣコンバータ、トランス、コンデンサー、抵抗などが挙げられる。
【００２１】
本実施の形態によれば、筐体２２の内部の最下部に電源部５４が配置されているので、筐体２２の前後方向の長さを縮小することができ、したがって、従来のフィルムカメラと同様の外形形状とすることができる。
そのため、撮像装置１０を映画撮影用のカメラとして使用する際に、従来のフィルムカメラと同様の撮影アングルを容易にとることができ、また、撮像装置１０を従来のフィルムカメラ用の撮影補助装置に取り付けることが簡単にでき、従来のフィルムカメラを使用している環境下における使い勝手の向上を図る上で有利となる。
【００２２】
また、筐体２２の内部の最下部に電源部５４が配置されることで、筐体２２内部において、上面２２Ｅ寄りのスペースと、後面２２Ｂ寄りのスペースとの双方が開放されるため、その開放されたスペースにＩ／Ｆ部４４Ａ、４４Ｂを配置するとともに、上面２２Ｅ、後面２２Ｂのそれぞれに上部取り付け部２６、後部取り付け部２８を設けることができ、したがって、記録再生部１６を上部取り付け部２６または後部取り付け部２８に選択的に取り付けることができる。
そのため、従来のフィルムカメラと同様にカメラ全体の外形形状の切り換えを行うことが容易にでき、そのため、撮像装置１０を映画撮影用のカメラとして使用する際に、従来のフィルムカメラと同様の撮影アングルをより容易にとることができ、また、撮像装置１０を従来のフィルムカメラ用の撮影補助装置により簡単に取り付けることができ、使い勝手の向上を図る上でより一層有利となる。
【００２３】
また、筐体２２の内部の最下部に電源部５４が配置されることで、筐体２２内部において、左右の側面２２Ｃ、２２Ｄのスペースも開放されるため、その開放された左右の側面２２Ｃ、２２Ｄのスペースに外部機器接続用のコネクタ２３を配置することができ、コネクタ２３の配置の設計自由度を確保する上で有利となる。
【００２４】
また、本実施の形態では、筐体２２の内部に、第１乃至第３のファン５２Ａ、５２Ｂ、５２Ｃが駆動されると、図８に矢印で示すように、外気が第２の空気取り入れ口３６（図７）から筐体２２の内部に吸い込まれ、筐体２２の内部で電源部５４の直上かつ複数の基板５６Ａの直下の箇所を外気が水平方向に後部に向けて流れ空気排出口３８から筐体２２の外部に排出される空気路Ｐが形成されており、この空気路Ｐを流れる空気流を空気流Ｋ１として表示する。
また、図８に点線で示すように、外気が第１の空気取り入れ口３４（図７）から筐体２２の内部に吸い込まれ、筐体２２の内部で複数の基板５６Ｂ、５８に沿って後部に向けて流れ空気排出口３８（図７）から筐体２２の外部に排出される空気流Ｋ２が形成される。
これら空気流Ｋ１、Ｋ２により筐体２２の内部が冷却され、また、電源部５４で発生する熱が筐体２２の上部に向かうことなく、空気流Ｋ１に乗って空気排出口３８から筐体２２の外部に排出される。
したがって、複数の基板５６Ａ、５６Ｂ、マザー基板５８は、それらの下方に電源部５４が配置されているにも拘わらず、電源部５４で発生した熱の影響を受けることがないため、それら複数の基板５６Ａ、５６Ｂ、マザー基板５８は安定した動作を行う上で有利となる。
【００２５】
特に、映画撮影用の撮像装置１０は、撮像素子２０の画素数がテレビ局で使用するビデオカメラに比較して多い。そのため、信号処理部４２は大量のデータを高速に処理することから大電力を消費し、したがって、電源部５４の出力電力も大きなものとなり、電源部５４が発熱しやすい。
しかしながら、本実施の形態によれば、筐体２２の内部の最下部に配置された電源部５４で発生する熱が筐体２２の上部に向かうことなく、空気流Ｋ１に乗って空気排出口３８から筐体２２の外部に排出される。
したがって、大画素数の撮像素子２０を用いる映画撮影用の撮像装置１０であっても、電源部５４を効果的に冷却することができ、動作の安定性を図り、ひいては、撮影される映像信号の品質の向上を図る上で有利となる。
【００２６】
また、第１、第２の空気取り入れ口３４、３６は筐体２２の前面２２Ａ、上面２２Ｅに設けられているため、筐体２２の底壁（下面２２Ｄ）やその近傍に空気取り入れ口を設ける必要が無い。
したがって、本体部１４を地面に載置したり、地面に近い箇所に位置させた状態（ローアングル）で撮影を行った場合に、塵埃や土ぼこり、あるいは、雪として地面に撒かれた塩などが筐体２２の内部に侵入することを確実に防止でき、撮像装置１０の耐久性を確保する上で有利となる。
【図面の簡単な説明】
【００２７】
【図１】本実施の形態の撮像装置１０の右側面図である。
【図２】本実施の形態の撮像装置１０の左側面図である。
【図３】撮像装置１０の本体部１４の左側面図である。
【図４】図３のＡ矢視図である。
【図５】図３のＢ矢視図である。
【図６】図３のＣ矢視図である。
【図７】本体部１４の内部構成の説明図である。
【図８】筐体２２内部における空気の流れの説明図である。
【図９】筐体２２内部の基板の配置を示す平面図である。
【図１０】撮像装置１０の構成を示すブロック図である。
【符号の説明】
【００２８】
１０……撮像装置、１２……レンズ鏡筒、１４……本体部、１８……撮影光学系、２０……撮像素子、２２……筐体、４２……信号処理部、５４……電源部。
【図１】
2008124869.tif 000003
【図２】
2008124869.tif 000004
【図３】
2008124869.tif 000005
【図４】
2008124869.tif 000006
【図５】
2008124869.tif 000007
【図６】
2008124869.tif 000008
【図７】
2008124869.tif 000009
【図８】
2008124869.tif 000010
【図９】
2008124869.tif 000011
【図１０】
2008124869.tif 000012